(57)【要約】      （修正有）【課題】湿気、臭気その他から遺骨を保護でき、故人の尊厳を損なうことなく遺族にとって安心して手元に置いておけるようにし、また供養もできる遺骨保管装置を提供する。【解決手段】遺骨を収納している遺骨収納物Ｂを保管する遺骨保管装置であって、保管装置本体１０を、サンゴ粉末を混入したサンゴ混練物を成型した構成素材によって形成するか、又は、サンゴ粉末を混入したサンゴ塗布剤を収納箇所の内側面に塗布する。保管装置本体１０は、背板、左右側板、上壁板、底板で上下左右が囲まれて、前面が開口されていると共に、左右側板の前縁に蝶番等を介して左右の開閉扉が開閉自在に連結され、保管装置本体１０の下部には台座１１が設けられている。【選択図】図１
0003224020.tif 000002
【実用新案登録請求の範囲】
【請求項１】
遺骨を収納している遺骨収納物を保管する遺骨保管装置であって、その保管装置本体では、サンゴ粉末を混入したサンゴ混練物を成型した構成素材によって形成してあるか、サンゴ粉末を混入したサンゴ塗布剤を収納箇所の内側面に塗布してあるかしてあることを特徴とする遺骨保管装置。
【請求項２】
保管装置本体は、背板、左右側板、上壁板、底板等で上下左右が囲まれて、前面が開口されていると共に、左右側板の前縁に蝶番等を介して左右の開閉扉が開閉自在に連結され、保管装置本体の下部には台座が設けられている請求項１に記載の遺骨保管装置。
【請求項３】
保管装置本体は、仏像を形取った形状に形成されている共に、遺骨収納物を収納する空洞状で、開閉可能にされている収納部を設けてある請求項１に記載の遺骨保管装置。
【請求項４】
保管装置本体は、ボックス状の容器体と、この容器体の開口部を閉塞する蓋体とからなる請求項１に記載の遺骨保管装置。
【請求項５】
保管装置本体は、部屋の角隅部に配置できるように、角隅部に対応した後部形態を備えたコーナー型の棚体としてある請求項１に記載の遺骨保管装置。
【請求項６】
保管装置本体は、所定径の柱状の保管体に、収納載置部を刳り抜き形成してある請求項１に記載の遺骨保管装置。
【請求項７】
保管装置本体は、背板、上壁板、底板等で上下が覆われていて、底板上に段状を呈する載置部を形成してある請求項１に記載の遺骨保管装置。
【請求項８】
保管装置本体は、背板、左右側板、ホームベース型を呈する上壁板、底板等で上下左右が囲まれていて、左右側板の前縁に蝶番等を介して左右の開閉扉が、前方に突出する上壁板、底板の三角形部分の辺縁に合致して開閉されるようにしてある請求項１に記載の遺骨保管装置。
【請求項９】
保管装置本体は、縦長状の背板、左右側板、上壁板、及び左右側板の前縁に蝶番を介して開閉扉を開閉自在に連結すると共に、底部には小扉によって開閉自在にした小物収納部を区画し、床置き可能にしてある請求項１に記載の遺骨保管装置。
【請求項１０】
保管装置本体は、吊下部材を介して懸架した載置体としてある請求項１に記載の遺骨保管装置。
【考案の詳細な説明】
【技術分野】
【０００１】
この考案は、遺骨を例えば長期にわたって手元に保存、保管しておくとき、湿気、臭気その他から遺骨を保護でき、故人の尊厳を損なうことなく遺族にとって安心して手元に置いておけるようにし、また供養もできるようにした遺骨保管装置に関する。
【背景技術】
【０００２】
従来から、一般的には、火葬後の遺骨は四十九日の法要後で納骨をし、彼岸その他の時期には墓参りをし、故人を偲ぶものとしている。ただ、故人への思いが大きい場合や、墓の準備ができていない場合等では、納骨せずに手元に置いて供養をしたいとする遺族も少なからずいるのが実情である。
【０００３】
こうしたことから、遺骨を手元に置き供養できるようにした各種の遺骨収納容器等が提案されている。例えば特許文献１に示される置物型遺骨収納容器であり、特許文献２に示される遺骨収納容器であり、特許文献３に示される手元供養具等である。特許文献１の収納容器は前面に銘板を貼った陶磁器製の空洞を有する遺骨収納容器を木製底板の基盤上にネジにて着脱できるようにして成る。特許文献２の収納容器は遺骨収納袋を遺骨収納箱本体内に収納し、遺骨収納箱蓋によって覆うようにしたほぼ扁平状の箱体にて成る。特許文献３の供養具は超硬合金製の本体と蓋体とを、これらの縁部分同士が互いに嵌着されることで密着されるようにして成る。
【先行技術文献】
【特許文献】
【０００４】
【特許文献１】実用新案登録第３１１８３５１号公報
【特許文献２】実用新案登録第３１５３１７６号公報
【特許文献３】実用新案登録第３１７６０５７号公報
【考案の概要】
【考案が解決しようとする課題】
【０００５】
ところがこのような従来の収納容器等にあっては、手元で簡単に供養等ができるように遺骨を単に収納保管しておくにすぎず、その全体形状も特に故人を偲ぶように工夫されたものではない。しかも保管する場所の雰囲気に影響されやすく、例えば湿気が多い環境であったり、塵埃その他が多く清浄でない環境であったりすると、これらの湿気、塵埃その他から十分に保護できずに、保存・保管する遺骨を損傷させることもあった。
【０００６】
そこでこの考案は叙上のような従来存した諸事情に鑑み案出されたもので、保存・保管する環境雰囲気による影響、例えば湿気、臭気等から保護し、素材に含まれる天然ミネラルイオンを含むサンゴ粉末から生じるによってベストバランスのマイナスイオンによって良好な雰囲気を醸成し、調湿・調温、消臭・抗菌作用で、更には速乾性によって湿気をこもらせずに遺骨を常時清潔な状態で維持できるようにした遺骨保管装置を提供することにある。
【課題を解決するための手段】
【０００７】
上述した課題を解決するため、この考案にあっては、遺骨あるいは遺骨収納物Ｂを収納・保管する遺骨保管装置であって、その保管装置本体１０，２０，３０，４０，５０，６０，７０，８０，９０は、サンゴ粉末１を混入したサンゴ混練物を成型した構成素材によって形成してあるか、サンゴ粉末１を混入したサンゴ塗布剤を収納箇所の内側面に塗布してあるかしてあることを特徴とする。
保管装置本体１０は、背板、左右側板、上壁板、底板等で上下左右が囲まれて、前面が開口されていると共に、左右側板の前縁に蝶番等を介して左右の開閉扉が開閉自在に連結され、保管装置本体１０の下部には台座１１が設けられていて構成することができる。
保管装置本体２０は、仏像を形取った形状に形成されている共に、遺骨あるいは遺骨収納物Ｂを収納する空洞状で、開閉可能にされている収納部２１を設けて構成することができる。
保管装置本体３０は、ボックス状の容器体３１と、この容器体３１の開口部を閉塞する蓋体３２とから構成することができる。
保管装置本体４０は、部屋の角隅部に配置できるように、角隅部に対応した後部形態を備えたコーナー型の棚体４１として構成することができる。
保管装置本体５０は、所定径の柱状の保管体５１に、収納載置部５２を刳り抜き形成して構成することができる。
保管装置本体６０は、背板、上壁板、底板等で上下が覆われていて、底板上に段状を呈する載置部６１を形成して構成することができる。
保管装置本体７０は、背板、左右側板、ホームベース型を呈する上壁板、底板等で上下左右が囲まれていて、左右側板の前縁に蝶番等を介して左右の開閉扉が、前方に突出する上壁板、底板の三角形部分の辺縁に合致して開閉されるようにして構成することができる。
保管装置本体８０は、縦長状の背板、左右側板、上壁板、及び左右側板の前縁に蝶番を介して開閉扉を開閉自在に連結すると共に、底部には小扉によって開閉自在にした小物収納部８１を区画し、床置き可能に構成することができる。
保管装置本体９０は、吊下部材９３を介して懸架した載置体９１として構成することができる。
【０００８】
以上のように構成されたこの考案に係る遺骨保管装置にあって、その保管装置本体１０，…を構成する構成素材における成型されたサンゴ混練物中のサンゴ粉末１が、あるいは遺骨や遺骨収納物Ｂの収納箇所の内側面に塗布されたサンゴ塗布剤中のサンゴ粉末１が、周囲の湿気分を吸収し、また発生するマイナスイオン等によって臭気を除去し、遺骨収納物Ｂの周囲・周辺雰囲気を清浄に維持させる。
保管装置本体１０では開閉式仏壇風に、保管装置本体２０では飾り仏像として、保管装置本体３０では骨壺風に、保管装置本体４０では部屋の角隅部における棚体様として、保管装置本体５０では刳り抜き収納態様として、保管装置本体６０では開放態様の仏壇として、保管装置本体７０では前方突出態様の開閉式仏壇風に、保管装置本体８０では床置きの仏壇風に、保管装置本体９０では吊り下げ態様として等、それぞれの形態に対応した利便性を発揮させる。
【考案の効果】
【０００９】
この考案は以上説明したように構成されているため、構成素材中にあるいは塗布剤中に混入されているサンゴ粉末１によって、遺骨収納物Ｂを収納載置する保管装置本体１０，２０，３０，４０，５０，６０，７０，８０，９０が様々な形状、構造を有する場合でも、遺骨や遺骨収納物Ｂの周囲雰囲気中から湿気分を吸収し、また発生するマイナスイオンによって清浄な雰囲気を醸成できる。
【００１０】
すなわちこれはこの考案において、遺骨収納物Ｂを保管するに際し、その遺骨収納物Ｐを保管する保管装置本体１０，２０，３０，４０，５０，６０，７０，８０，９０の構成につき、構成素材中に、あるいは収納箇所内部の内側面に塗布する塗布剤中にサンゴ粉末１が混入されているからである。これによって、遺骨や遺骨収納物Ｂの周囲雰囲気中からの湿気分の除去、空気清浄化を実現できる。
【００１１】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１２】
【図１】この考案を実施するための一形態を示し、開閉式仏壇風に構成した場合の斜視図である。
【図２】同じくその素材の断面図で、その（Ａ）はサンゴ粉末を含有させたサンゴ混練物をプレート状に形成した場合、（Ｂ）は所定の素材表面に、サンゴ成分を含有させたサンゴ塗布剤を塗布した場合である。
【図３】同じく他の実施の形態において仏像体様として構成した場合の一部切欠斜視図である。
【図４】同じく容器状に構成した場合の斜視図である。
【図５】同じく棚板体様として構成した場合の斜視図である。
【図６】同じく刳り抜き式収納部を備えた天然木材風に構成した場合の斜視図である。
【図７】同じく簡易仏壇風に構成した場合の斜視図である。
【図８】同じく開閉式仏壇風に構成した他の場合の斜視図である。
【図９】同じく床置きタイプの仏壇風として構成した場合の斜視図である。
【図１０】同じく吊り下げ態様として構成した場合の斜視図である。
【考案を実施するための形態】
【００１３】
以下、図面を参照してこの考案を実施するための一形態を説明すると、図において示される符号１０，２０，３０，４０，５０，６０，７０，８０，９０は保管装置本体であり、図１に示される保管装置本体１０は、開閉式仏壇風に構成された場合であり、背板、左右側板、上壁板、底板等で上下左右が囲まれて、前面が開口されていると共に、左右側板の前縁に蝶番等を介して左右の開閉扉が開閉自在に連結されて成り、開閉扉によって開口部分を開閉できるようにしてある。そして、保管装置本体１０の下部には台座１１が設けられていて、台座１１の上方には適数の棚板が配置されている。
【００１４】
この保管装置本体１０における台座１１は、例えばコーラルライト（風化造礁サンゴ）の粒・粉末であるサンゴ粉末１を石膏、水等と混練したサンゴ混練物を所定肉厚のプレート状に成型したもので、例えば保管装置本体１０の平面形状に対応した矩形状に形成されている。この成型したサンゴ混練物は、例えば図２（Ａ）に示すように内部にサンゴ粉末１が満遍なく分散混入されている。
【００１５】
また、図１に示される保管装置本体１０を構成する背板、左右側板、上壁板、底板、開閉扉等を、サンゴ粉末１が混入された混練物を成型したプレートによって形成することも可能である。
【００１６】
あるいは図２（Ｂ）に示すように、例えば所定肉厚の木材板、合成樹脂板、金属板その他の板状物の表面に、サンゴ粉末１を塗布基剤中に混入して成るサンゴ塗布剤を塗布（吹き付けによる場合も含む、以下同様）することで、保管装置本体１０を構成する各部のプレートとすることもできる。この場合、サンゴ塗布剤の塗布面を保管装置本体１０の内側に配置する。
【００１７】
いずれにしても、サンゴ混練物からなる台座１１・プレート、あるいはサンゴ塗布剤等によって、保管装置本体１の内部がコーラルライトから発散されるマイナスイオンの雰囲気が醸成されるようにし、保管装置本体１の内部に、遺骨を収納した例えば遺骨袋、骨壺等の遺骨収納物Ｂを載置する。
【００１８】
図３に示される保管装置本体２０は、仏像を形取った形状に形成されている共に、遺骨を直接に、あるいは遺骨収納物Ｂを収納する空洞状で、開閉可能にされている収納部２１を設けて成る。この保管装置本体２０は、前記と同様なサンゴ混練物を所定の仏像形態となるように成型したのである。もとより、この保管装置本体２０においても、収納部２１の内側面に前記と同様なサンゴ塗布剤を塗布することで構成することもできる。尚、遺骨は火葬後の状態でも、砕いた状態であっても同様に収納できることに変わりはなく、以下同様である。
【００１９】
図４に示される保管装置本体３０は、例えば有底円筒状を呈するボックス状の容器体３１と、この容器体３１の開口部を閉塞する蓋体３２とから構成して成る。容器体３１、蓋体３２等は、前記と同様なサンゴ混練物によって形成されたり、内側面に前記と同様なサンゴ塗布剤を塗布したりすることで構成する。容器体３１自体は、図示のように円筒状とする場合に限らず、平面から見て矩形状、三角状その他の多角形状としたり、動物その他の具象物を模した形態としたりすることも可能である。この容器体様の保管装置本体３０にあっては、遺骨を直接に収納・保管しておくことも可能であり、骨壺と同様に取り扱うことができる。
【００２０】
図５に示される保管装置本体４０は、例えば家屋内における部屋の角隅部（コーナー）に配置できるように、角隅部に対応した後部形態を備えたコーナー型の棚体４１として構成して成る。棚体４１自体は、図示のように左右側板、三角形・扇形等を呈する上壁板、底板、左右側板の前縁に蝶番等を介して左右の開閉扉が開閉自在に連結されて成り、開閉扉によって前面開口が開閉されるようになっている。この棚体４１の内部には必要に応じて１段あるいは多段構造として適数の棚板を配置できるようにしてある。
【００２１】
図６に示される保管装置本体５０は、所定径の柱状の天然木材を素材とした保管体５１に、収納載置部５２を刳り抜き形成して成り、収納載置部５２の内側面に前記と同様なサンゴ塗布剤を塗布してある。収納載置部５２は、例えば遺骨収納物Ｂを収納載置するに適当な内容積を有し、必要があれば、収納載置部５２の開口部には開閉扉（図示せず）を開閉自在にして設けることもできる。もとより、保管体５１自体は、前記と同様なサンゴ混練物によって天然木材風に成型することで形成することもできる。
【００２２】
図７に示される保管装置本体６０は、開放式仏壇風に構成された場合であり、背板、上壁板、底板等で上下が覆われていて、底板上に段状を呈する載置部６１を形成することで構成してある。載置部６１の上面部は例えば前記と同様なサンゴ混練物によるプレートによって形成されており、必要に応じて前後にスライドできるスライド構成、引出可能なボックス状の引出構成等とすることができる。もとより、背板、上壁板、底板等を前記と同様なサンゴ混練物によるプレートによって形成したり、あるいは内側面に前記と同様なサンゴ塗布剤を塗布したりして構成することもできる。尚、図中符号６２は、例えば壁面等に掛ける場合の吊り部である。
【００２３】
図８に示される保管装置本体７０は、平面でホームベース型を呈する開閉式仏壇風に構成された場合であり、背板、左右側板、ホームベース型を呈する上壁板、底板等で上下左右が囲まれていて、左右側板の前縁に蝶番等を介して左右の開閉扉が、前方に突出する上壁板、底板の三角形部分の辺縁に合致して開閉されるようにして成る。そして、保管装置本体７０の下部には台座７１が設けられている。台座７１自体あるいは保管装置本体７０自体が前記と同様なサンゴ混練物によるプレートで形成されたり、前記と同様なサンゴ塗布剤によって内側面が塗布されたりして構成する。
【００２４】
図９に示される保管装置本体８０は、いわゆる床置き式と称される縦長仏壇風に構成された場合であり、縦長状の背板、左右側板、上壁板、及び左右側板の前縁に蝶番を介して開閉扉を開閉自在に連結すると共に、底部には小扉によって開閉自在にした小物収納部８１を区画構成して成る。そして、保管装置本体８０内には、適宜高さに設定された適数の棚板を配装してある。保管装置本体８０を構成する背板その他は、前記と同様なサンゴ混練物によるプレートで形成したり、構成部材の内側面に前記と同様なサンゴ塗布剤によって塗布したりして形成してある。遺骨収納物Ｂは、例えば棚板上に載置されるのであり、保管装置本体８０は床置き式であることと相俟ち、立ち姿勢の儘で供養等をすることができ、複数段の棚板を配置することで様々な供養物を飾ることができ、幅員を小さくすることで狭いスペースでも設置することができる。
【００２５】
図１０に示される保管装置本体９０は、吊り下げ態様としたのであり、例えば平面で矩形状のプレートからなる載置体９１の四隅に連結した吊り紐、棒材等の連結部材９２を載置体９１の上方で適宜に固定し、この固定部分を適宜箇所、例えば天井、棚等から吊下部材９３等を介して懸架して設置する。尚、載置体９１、連結部材９２等に例えば透明な三角形状のプレートを相互に連結してピラミッド状にすることも可能である。そして、載置体９１等を前記と同様なサンゴ混練物によるプレートで形成したり、プレートの表面等に前記と同様なサンゴ塗布物を塗布したりして構成する。このように構成した保管装置本体９０にあっては、載置体９１上に遺骨収納物Ｂを載置する。
【００２６】
次にこれらの保管装置本体１０，２０，３０，４０，５０，６０，７０，８０，９０の使用例を説明すると、保管装置本体１０，２０，３０，５０，７０等にあっては例えば適当な家具類等上に置いて内部に遺骨収納物Ｂを収納すればよく、特に保管装置本体２０，３０にあっては直接に遺骨を収納保管でき、保管装置本体４０にあっては例えば部屋の角隅部に固定設置すればよく、保管装置本体６０にあっては壁等に掛けて内部に遺骨収納物Ｂを収納すればよく、保管装置本体８０にあっては床上にセットして内部に遺骨収納物Ｂを収納すればよく、保管装置本体９０にあっては吊り下げ態様で使用すればよい。いずれにしてもそれぞれの形態等によってそれらに対応させて適宜に遺骨あるいは遺骨収納物Ｂがセットされる。
【符号の説明】
【００２７】
Ｂ…遺骨収納物
１…サンゴ粉末
１０…保管装置本体
１１…台座
２０…保管装置本体
２１…収納部
３０…保管装置本体
３１…容器体
４０…保管装置本体
４１…棚体
５０…保管装置本体
５１…保管体
５２…収納載置部
６０…保管装置本体
６１…載置部
７０…保管装置本体
７１…台座
８０…保管装置本体
８１…小物収納部
９０…保管装置本体
９１…載置体
９２…連結部材
９３…吊下部材
【図１】
0003224020.tif 000003
【図２】
0003224020.tif 000004
【図３】
0003224020.tif 000005
【図４】
0003224020.tif 000006
【図５】
0003224020.tif 000007
【図６】
0003224020.tif 000008
【図７】
0003224020.tif 000009
【図８】
0003224020.tif 000010
【図９】
0003224020.tif 000011
【図１０】
0003224020.tif 000012
【手続補正書】
【提出日】令和1年8月6日(2019.8.6)
【手続補正１】
【補正対象書類名】明細書
【補正対象項目名】００２６
【補正方法】変更
【補正の内容】
【００２６】
次にこれらの保管装置本体１０，２０，３０，４０，５０，６０，７０，８０，９０の使用例を説明すると、保管装置本体１０，２０，３０，５０，７０等にあっては例えば適当な家具類等上に置いて内部に遺骨収納物Ｂを収納すればよく、特に保管装置本体２０，３０にあっては直接に遺骨を収納保管でき、保管装置本体４０にあっては例えば部屋の角隅部に固定設置すればよく、保管装置本体６０にあっては壁等に掛けて内部に遺骨収納物Ｂを収納すればよく、保管装置本体８０にあっては床上にセットして内部に遺骨収納物Ｂを収納すればよく、保管装置本体９０にあっては吊り下げ態様で使用すればよい。いずれにしてもそれぞれの形態等によってそれらに対応させて適宜に遺骨あるいは遺骨収納物Ｂがセットされる。
尚、図示を省略したが、遺骨あるいは遺骨収納物Ｂを、前記のサンゴ粉末１が混入された混練物を成型した部材によって構成した墓、あるいはサンゴ粉末１を塗布基剤中に混入して成るサンゴ塗布剤を墓の構成部材表面に塗布することで構成した墓に収納しても良い。
【手続補正書】
【提出日】令和1年9月18日(2019.9.18)
【手続補正１】
【補正対象書類名】実用新案登録請求の範囲
【補正対象項目名】全文
【補正方法】変更
【補正の内容】
【実用新案登録請求の範囲】
【請求項１】
遺骨を収納している遺骨収納物を保管する遺骨保管装置であって、その保管装置本体では、サンゴ粉末を混入したサンゴ混練物を成型した構成素材によって形成してあるか、サンゴ粉末を混入したサンゴ塗布剤を収納箇所の内側面に塗布してあるかしてあることを特徴とする遺骨保管装置。
【請求項２】
保管装置本体は、背板、左右側板、上壁板、底板で上下左右が囲まれて、前面が開口されていると共に、左右側板の前縁に蝶番等を介して左右の開閉扉が開閉自在に連結され、保管装置本体の下部には台座が設けられている請求項１に記載の遺骨保管装置。
【請求項３】
保管装置本体は、仏像を形取った形状に形成されている共に、遺骨収納物を収納する空洞状で、開閉可能にされている収納部を設けてある請求項１に記載の遺骨保管装置。
【請求項４】
保管装置本体は、ボックス状の容器体と、この容器体の開口部を閉塞する蓋体とからなる請求項１に記載の遺骨保管装置。
【請求項５】
保管装置本体は、部屋の角隅部に配置できるように、角隅部に対応した後部形態を備えたコーナー型の棚体としてある請求項１に記載の遺骨保管装置。
【請求項６】
保管装置本体は、所定径の柱状の保管体に、収納載置部を刳り抜き形成してある請求項１に記載の遺骨保管装置。
【請求項７】
保管装置本体は、背板、上壁板、底板で上下が覆われていて、底板上に段状を呈する載置部を形成してある請求項１に記載の遺骨保管装置。
【請求項８】
保管装置本体は、背板、左右側板、ホームベース型を呈する上壁板、底板で上下左右が囲まれていて、左右側板の前縁に蝶番等を介して左右の開閉扉が、前方に突出する上壁板、底板の三角形部分の辺縁に合致して開閉されるようにしてある請求項１に記載の遺骨保管装置。
【請求項９】
保管装置本体は、縦長状の背板、左右側板、上壁板、及び左右側板の前縁に蝶番を介して開閉扉を開閉自在に連結すると共に、底部には小扉によって開閉自在にした小物収納部を区画し、床置き可能にしてある請求項１に記載の遺骨保管装置。
【請求項１０】
保管装置本体は、吊下部材を介して懸架した載置体としてある請求項１に記載の遺骨保管装置。
【手続補正書】
【提出日】令和1年10月9日(2019.10.9)
【手続補正１】
【補正対象書類名】明細書
【補正対象項目名】００２６
【補正方法】変更
【補正の内容】
【００２６】
次にこれらの保管装置本体１０，２０，３０，４０，５０，６０，７０，８０，９０の使用例を説明すると、保管装置本体１０，２０，３０，５０，７０等にあっては例えば適当な家具類等上に置いて内部に遺骨収納物Ｂを収納すればよく、特に保管装置本体２０，３０にあっては直接に遺骨を収納保管でき、保管装置本体４０にあっては例えば部屋の角隅部に固定設置すればよく、保管装置本体６０にあっては壁等に掛けて内部に遺骨収納物Ｂを収納すればよく、保管装置本体８０にあっては床上にセットして内部に遺骨収納物Ｂを収納すればよく、保管装置本体９０にあっては吊り下げ態様で使用すればよい。いずれにしてもそれぞれの形態等によってそれらに対応させて適宜に遺骨あるいは遺骨収納物Ｂがセットされる。
尚、図示を省略したが、遺骨あるいは遺骨収納物Ｂを、前記のサンゴ粉末１が混入された混練物を成型した部材によって構成した墓、あるいはサンゴ粉末１を塗布基剤中に混入して成るサンゴ塗布剤を墓の構成部材表面に塗布することで構成した墓に収納しても良い。
また、この考案に係る保管装置自体は、例えば各種の美術品、工芸品その他の保管にも利用することができる。